(57)【要約】【課題】建築物の開口部から建築物内への水の流入を防止するための防水装置を、補助支柱を組み立てることなくして防水シートが水密状に封止されたものにする。【解決手段】躯体開口部１の屋外側に設置される建築用防水シート装置Ａの防水シート１１を、該防水シートの左右両端縁が水密状となるようにして躯体開口部に張設するにあたり、開口部縦枠２の屋外側面はシール材８が設けられたものとし、防水シートの上端縁を躯体開口部に支持すると共に、左右両端縁を前記シール材に当てがった状態で、該シール材が防水シートの屋外側から押圧変形せしめられるようにして押さえ柱１４を縦枠の屋外側から組み付けて、防水シートの左右両端縁が押さえ柱とシール材とのあいだに水密状に挟持されるようにした。【選択図】図１１
2014231720.tif 000002
【特許請求の範囲】
【請求項１】
建築物躯体に形成される開口部の屋外側に設置される床下収納部と、
該床下収納部に引き上げ可能な状態で収容され、下端縁が水密状に封止され、前記引き上げた状態では左右両側部が躯体側部材に対して屋外側で対向する防水シートと、
前記引き上げられた防水シートの左右両側部に沿うようそれぞれ設けられる左右のシール材と、
前記防水シート及びシール材を屋内外方向に挟む状態で躯体側部材に対して屋外側で対向するよう着脱自在に立設される押さえ柱とを備え、
前記押さえ柱の立設に伴うシール材の押圧変形により防水シート左右両側部と躯体側部材とのあいだを水密状に封止するように構成した建築物用防水シート装置において、
前記躯体側部材は、開口部の左右両側部を構成している開口部縦枠であることを特徴とする建築物用防水シート装置。
【請求項２】
前記シール材は、開口部縦枠、押さえ柱、防水シートの何れかに少なくとも一つが設けられていることを特徴とする請求項１記載の建築物用防水シート装置。
【請求項３】
防水シートは、上端縁が横長状の支持部材により展張状に支持されるものであり、該支持部材の左右両端縁には屋内側に向けて突出する係止部材が設けられ、該係止部材を屋内側に向けて移動させることで、係止部材が躯体側縦枠の左右方向外側面に設けた係止受け部に係脱自在に係止することになって左右係止部材の躯体縦枠側への保持ができるものであり、前記支持部材には、左右係止部材が躯体側縦枠の左右方向外側面から離間していて支持部材を係止部材に遊嵌できる状態と、当接していて支持部材が躯体縦枠を挟持する状態とのあいだの長さ調整をするための長さ調整部材が設けられていることを特徴とする請求項１または２記載の建築物用防水シート装置。
【請求項４】
長さ調整部材はターンバックルであることを特徴とする請求項３記載の建築物用防水シート装置。
【請求項５】
係止部材は、防水シートの左右両端縁を当接または近接対向させることで展張姿勢の位置決めをするための位置決め部材となっていることを特徴とする請求項３または４記載の建築物用防水シート装置。
【請求項６】
シール材を押圧変形せしめるよう押さえ柱を組み付けるための押圧係止金具が押さえ柱と開口部縦枠との左右方向外側面に設けられていることを特徴とする請求項１乃至５の何れか１記載の建築物用防水シート装置。
【請求項７】
押さえ柱の上端部は、開口部縦枠とのあいだに隙間を存するよう切欠き部が形成され、該切欠き部の下部に前記支持部材の左右端部が配され、切欠き部の上部には、支持部材側に設けられた補助部材が開口部縦枠の屋外側面と近接対向または当接するように配されていて、係止部材が左右外方に拡開する方向の負荷を受けたとき補助部材が開口部縦枠の屋外側面を押圧して該負荷を開口部縦枠で受けるように構成されていることを特徴とする請求項３乃至６の何れか１記載の建築物用防水シート装置。
【請求項８】
補助部材は、係止部材を介して支持部材に設けられていることを特徴とする請求項７記載の建築物用防水シート装置。
【請求項９】
左右の開口部縦枠の中間には補強縦柱が着脱自在に立設され、該補強縦柱と左右開口部縦枠とは補強横柱を介して連結補強されるものであり、開口部縦枠の左右方向内側面には補強横柱の左右方向外端に設けた係合突起が嵌入する嵌入孔が形成された孔形成部材が組み込まれ、補強縦柱の左右両側面には、補強横柱の左右方向内端に設けた係止フックを上側から係止できるフック受けが形成されていることを特徴とする請求項１乃至８の何れか１記載の建築物用防水シート装置。
【請求項１０】
開口部縦枠は中空状であり、開口部縦枠内には、シール材を内嵌するために形成される凹溝の溝底面と孔形成部材の孔底面と開口部縦枠内面とに固着される補強部材が設けられていることを特徴とする請求項９記載の建築物用防水シート装置。
【発明の詳細な説明】
【技術分野】
【０００１】
本発明は、ビルの出入り口、地下鉄の出入り口等の建築物に設けられる開口部から建築物内への水の流入を防止するための建築物用防水シート装置の技術分野に関するものである。
【背景技術】
【０００２】
一般に、台風や集中豪雨等の天災、或いは河川が増水することによる堤防の決壊、あるいは高潮、津波等の水害によって、建築物の開口部から内部へと水が流入することがあり、このため、開口部に防水シート装置を設けて水の流入防止を図ったものがあり、このような防水シート装置としては、例えば特許文献１に示されるように、開口部の屋外側部位に防水シートを張設して水の流入を防止するようにしたものがある。
ところでこの場合、防水シートの左右両端縁と開口部の左右両端縁とのあいだを防水構造にする必要があり、そこでこのものは、開口部である通路の側壁の屋外側面に補助支柱を防水状に立設し、該補助支柱の屋外側面に形成の凹溝に弾性があるシール材を埋設したものとし、そして開口部の床下に収納される防水シートを上方に引き出して補助支柱の屋外側面に当てがった状態で、防水シートの屋外側面から押さえ支柱を当てがい、係止部材で押さえ支柱を補助支柱に対して押圧状に固定することにより、防水シートを、弾性変形したシール材と共に変形させて補助支柱と押さえ支柱とのあいだに挟み込むことで水密状に封止するようにしていた。
【先行技術文献】
【特許文献】
【０００３】
【特許文献１】特開２０１３-３６２０３号公報
【発明の開示】
【発明が解決しようとする課題】
【０００４】
しかしながらこのものでは、側壁の屋外側面に補助支柱が別途必要になって部品点数が多くなるうえ、補助支柱は、側壁に対して防水状に立設する必要があるため補助支柱の組み立てに手間がかかるという問題がある。しかも補助支柱が側壁から屋外側に突設されることになって外観を損なうというだけでなく、補助支柱が屋外側に突出した分、防水シートの収納スペースが屋外側にずれ込んでしまうため、このような収納スペースを確保できないところでは建築物用防水シート装置自体を設置できないという問題があるうえ、突出した補助支柱が通行の妨げとなって通行人や手荷物等が引っかかったりする問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、建築物躯体に形成される開口部の屋外側に設置される床下収納部と、該床下収納部に引き上げ可能な状態で収容され、下端縁が水密状に封止され、前記引き上げた状態では左右両側部が躯体側部材に対して屋外側で対向する防水シートと、前記引き上げられた防水シートの左右両側部に沿うようそれぞれ設けられる左右のシール材と、前記防水シート及びシール材を屋内外方向に挟む状態で躯体側部材に対して屋外側で対向するよう着脱自在に立設される押さえ柱とを備え、前記押さえ柱の立設に伴うシール材の押圧変形により防水シート左右両側部と躯体側部材とのあいだを水密状に封止するように構成した建築物用防水シート装置において、前記躯体側部材は、開口部の左右両側部を構成している開口部縦枠であることを特徴とする建築物用防水シート装置である。
請求項２の発明は、前記シール材は、開口部縦枠、押さえ柱、防水シートの何れかに少なくとも一つが設けられていることを特徴とする請求項１記載の建築物用防水シート装置である。
請求項３の発明は、防水シートは、上端縁が横長状の支持部材により展張状に支持されるものであり、該支持部材の左右両端縁には屋内側に向けて突出する係止部材が設けられ、該係止部材を屋内側に向けて移動させることで、係止部材が躯体側縦枠の左右方向外側面に設けた係止受け部に係脱自在に係止することになって左右係止部材の躯体縦枠側への保持ができるものであり、前記支持部材には、左右係止部材が躯体側縦枠の左右方向外側面から離間していて支持部材を係止部材に遊嵌できる状態と、当接していて支持部材が躯体縦枠を挟持する状態とのあいだの長さ調整をするための長さ調整部材が設けられていることを特徴とする請求項１または２記載の建築物用防水シート装置である。
請求項４の発明は、長さ調整部材はターンバックルであることを特徴とする請求項３記載の建築物用防水シート装置である。
請求項５の発明は、係止部材は、防水シートの左右両端縁を当接または近接対向させることで展張姿勢の位置決めをするための位置決め部材となっていることを特徴とする請求項３または４記載の建築物用防水シート装置である。
請求項６の発明は、シール材を押圧変形せしめるよう押さえ柱を組み付けるための押圧係止金具が押さえ柱と開口部縦枠との左右方向外側面に設けられていることを特徴とする請求項１乃至５の何れか１記載の建築物用防水シート装置である。
請求項７の発明は、押さえ柱の上端部は、開口部縦枠とのあいだに隙間を存するよう切欠き部が形成され、該切欠き部の下部に前記支持部材の左右端部が配され、切欠き部の上部には、支持部材側に設けられた補助部材が開口部縦枠の屋外側面と近接対向または当接するように配されていて、係止部材が左右外方に拡開する方向の負荷を受けたとき補助部材が開口部縦枠の屋外側面を押圧して該負荷を開口部縦枠で受けるように構成されていることを特徴とする請求項３乃至６の何れか１記載の建築物用防水シート装置である。
請求項８の発明は、補助部材は、係止部材を介して支持部材に設けられていることを特徴とする請求項７記載の建築物用防水シート装置である。
請求項９の発明は、左右の開口部縦枠の中間には補強縦柱が着脱自在に立設され、該補強縦柱と左右開口部縦枠とは補強横柱を介して連結補強されるものであり、開口部縦枠の左右方向内側面には補強横柱の左右方向外端に設けた係合突起が嵌入する嵌入孔が形成された孔形成部材が組み込まれ、補強縦柱の左右両側面には、補強横柱の左右方向内端に設けた係止フックを上側から係止できるフック受けが形成されていることを特徴とする請求項１乃至８の何れか１記載の建築物用防水シート装置である。
請求項１０の発明は、開口部縦枠は中空状であり、開口部縦枠内には、シール材を内嵌するために形成される凹溝の溝底面と孔形成部材の孔底面と開口部縦枠内面とに固着される補強部材が設けられていることを特徴とする請求項９記載の建築物用防水シート装置である。
【発明の効果】
【０００６】
請求項１の発明とすることにより、開口部を防水するにあたり、防水シートの左右両側部と躯体側部材とのあいだをシール材の押圧変形によって水密状に封止するものでありながら、躯体側部材を、開口部の左右両側部を構成する縦枠（方立）としたものであるから、該開口部縦枠を、防水シートを水密状に封止するための防水シート装置の構成部材の一つとして有効利用することができて、部材の兼用化が図れる。従って、従来のもののように防水シート装置のための補助支柱を別途設けて、該補助支柱と押さえ柱とのあいだに防水シートを水密状に挟持する必要がなくなって、組み付けを簡単なものにすることが出来るとともに部品点数を少なくすることが出来る。また、補助支柱が設けられることによって外観が損ねられたり、通行の妨げになるといった問題も発生することがない。さらに補助支柱を立設しない分だけ床下収納部を躯体に近づけた状態で設置できるため、省スペース化も図ることが出来る。
請求項２の発明とすることにより、シール材は開口部縦枠、押さえ柱、防水シートの何れに設けても良いことになって、防水シート装置が設置される状況に応じてシール材の取り付け箇所を選択することが出来ることになり、設計の自由度の高い防水シート装置とすることが出来る。
請求項３の発明とすることにより、防水シートの躯体縦枠への係止は、防水シート上端縁にあって該防水シートを支持する支持部材の左右両端縁に突設される係止部材によって縦枠の屋外側面ではなく左右方向外側面でなされるため、引っかかったりして通行の妨げになることがないうえ、外観も損なうことがない。そしてこのように支持部材の係止を縦枠の左右外側面で行うものでありながら、支持部材の長さは、長さ調整部材により支持部材が縦枠の左右方向外側面に遊嵌する状態と当接する状態とに調整出来るため、支持部材の縦枠左右外側面への組み込みおよび係止作業が容易かつ確実になる。
請求項４の発明とすることにより、支持部材の長さ調整部材を、ターンバックルを用いて簡単に構成することが出来る。
請求項５の発明とすることにより、係止部材は、さらに防水シートを展張姿勢に位置させるための位置決め部材としても機能するため、部材の兼用化を図ることが出来る。
請求項６の発明とすることにより、押さえ柱を縦枠に押圧状に係止するための金具が、従来のように補助支柱の上面でなく、縦枠左右外側面に設けられることになって、外観を損ねることがないだけでなく、引っかかったりして通行の妨げになることもない。
請求項７の発明とすることにより、防水シートが水圧を受けることにより支持部材が屋内側に撓む方向の負荷を受けることに伴い係止部材が左右外方に拡開して係止受け部から外れようとしたときに、支持部材側に設けた補助部材が躯体側縦枠の屋外側面を押圧することになって前記拡開規制をすることになり、この結果、係止部材の抜け止め補強ができることになってより高い防水機能を発揮できることになる。
請求項８の発明とすることにより、係止部材が補助部材を支持部材に設けるための取付け部材に兼用化されることになる。
請求項９の発明とすることにより、中間に補強縦柱を設け、該補強縦柱と縦枠とを補強横柱で連結して補強するものでありながら、該補強横柱と縦枠との連結は、補強横柱に設けた係合突起と縦枠に形成した嵌入孔との嵌合でなされることになって、縦枠には嵌入孔が形成されることになり、従って縦枠に左右方向内側に突出する係止フックを設ける必要がなくなって縦枠の外観を損ねてしまうことがない。
請求項１０の発明とすることにより、シール材が内嵌される凹溝の溝底面と孔形成部材の孔底面との補強を１つの補強部材によって行うことが出来て、補強部材の兼用化が図れる。
【図面の簡単な説明】
【０００７】
【図１】（Ａ）、（Ｂ）は、それぞれ建築物用防水シート装置が設けられた躯体開口部の斜視図、および部分拡大斜視図である。
【図２】建築用防水シート装置の蓋が取り外された様子を示す平面図である。
【図３】床下収納箱に補強縦柱、補強横柱、押さえ柱が収納された様子を示す側面断面図である。
【図４】床下収納箱の斜視図である。
【図５】補強縦柱、補強横柱が立設された様子を示す正面図である。
【図６】補強横柱の左右両端部を示す平面断面図である。
【図７】（Ａ）、（Ｂ）は、それぞれ補強横柱の縦枠との係合を示す斜視図および正面部分断面図である。
【図８】（Ａ）、（Ｂ）、（Ｃ）は、それぞれ補強横柱の補強縦柱との係合を示す作用説明図である。
【図９】開口部に防水シートが取付けられた様子を示す正面図である。
【図１０】開口部に防水シートが取付けられた様子を示す平面断面図である。
【図１１】開口部に取付けられた防水シートの要部を示す平面断面図である。
【図１２】（Ａ）および（Ｂ）は、それぞれ支持部材の要部を示す正面図および平面図である。
【図１３】（Ａ）、（Ｂ）、（Ｃ）は、それぞれ支持部材の補強縦柱への係合を示す平面図、側面図、斜視図である。
【図１４】（Ａ）、（Ｂ）、（Ｃ）、（Ｄ）は、それぞれ支持部材の縦枠への係合を示す作用説明図である。
【図１５】押さえ部材と縦枠との係止を示す側面図である。
【図１６】（Ａ）、（Ｂ）は、それぞれ押さえ柱と縦枠との係止を示す要部拡大側面図、引き寄せ金具と受け金具との係止を示す説明図である。
【図１７】（Ａ）、（Ｂ）は、それぞれ押さえ柱の取付け前と取り付け後とを示す平面断面図である。
【図１８】防水シートが押さえ柱と縦枠とのあいだに挟持された状態を示す部分斜視図である。
【図１９】（Ａ）、（Ｂ）は、それぞれ防水シート装置の第二、第三の実施の形態を示す平面断面図である。
【図２０】（Ａ）、（Ｂ）は、それぞれ防水シート装置の第四、第五の実施の形態を示す平面断面図である。
【発明を実施するための形態】
【０００８】
以下、本発明の実施の形態について、図面に基づいて説明する。
図中、１は建築物の開口部であって、該開口部1は、共に躯体に一体に固定される左右両側の縦枠２、２、上枠３、下枠４で枠組み構成されている。
そして、該開口部１の屋外側の床面Ｇには、本発明の建築用防水シート装置Ａが収納される箱状の床下収納箱（床下収納部）５が、開口端面（上端面）５ａを床面Ｇと略同一高さとなるようにして埋設されている。この開口端面５ａより低い部分には開口端面５ａに沿って段差状となった段差面５ｂが形成されていて、該段差面５ｂに蓋６が嵌り込むことによって防水シート装置Ａの不使用時には床下収納箱５が床面Ｇと同一高さに覆蓋されるようになっており、これによって通常時には該防水シート装置Ａの上を通行人が支障なく通行できるようになっている。
【０００９】
前記開口端面５ａは、左右縦枠２、２と対向する部位が段差面５ｂと同じ高さに切欠かれた切欠き面５ｃとなっており、ここに左右縦枠２、２の下端部が組み込み固定されるようになっている。そして該組み込み固定された左右縦枠２、２の屋外側面２ａと床下収納箱５の屋内側内壁面５ｄとは面一状となるように設定され、これら縦枠屋外側面２ａと床下収納箱５の屋内側内壁面５ｄには、縦方向に直線状となる凹溝２ｄ、５ｅがそれぞれ形成され、該凹溝２ｄ、５ｅに後述する中空状のシール材（本実施の形態ではシリコーン製のガスケットを採用）８が嵌入され接着固定されている。尚、前記左右縦枠２、２に嵌入されるシール材８は、本実施の形態では縦枠２、２の上端に至るまで一体組み込みされている。そして左右縦枠２、２の左右方向外側面２ｃには、躯体側壁面(本実施の形態ではガラス面)９の端部が組み込まれ、屋内側部位には自動開閉するスライドドア１０が組み込まれている。
【００１０】
該床下収納箱５は、左右方向の幅が左右両縦枠２、２のあいだの距離よりも幅広に形成されており、該床下収納箱５内には、左右方向の幅が縦枠２、２のあいだの距離よりも幅広に形成された防水シート１1がジグザグ状に折りたたみ収納されている。さらに該防水シート１1の上側には、後述する補強縦柱１２、補強横柱１３、押さえ柱１４が長手方向を左右方向に向けて収納されている。そして防水シート装置Ａを使用する際には、床下収納箱５の蓋６を外し、該床下収納箱５に収納されているこれらの部材を取り出して後述するようにして組み立てることで開口部１の防水がなされるようになっている。
【００１１】
床下収納箱５の床面５ｆには、長板状の第一、第二の固定部材１５、１６が屋内外方向に並列配設されており、該第一、第二固定部材１５、１６は、床面５ｆとのあいだに前記防水シート１1の下端縁１１ａを挟持した状態で床面５ｆに対してビス固定されている。そして、該シート下端縁１１ａは、床面５ｆに固定された部位から連続する部位が、第一固定部材１５の屋内側面１５ａと床下収納箱５の屋内側内壁面５ｄとのあいだに挟持された状態で上方に向く立ち上がり部１１ｂとなっており、該立ち上がり部１１ｂと屋内側内壁面５ｄとのあいだに接着剤Ｃが充填されることで、防水シート１１のシート下端縁１１ａが床下収納箱５の屋内側内壁面５ｄに対して水密状に封止取付けされている。
尚、接着剤Ｃは、さらに前記シール材８にも封止状に接着固定されている。
【００１２】
床下収納箱５内の左右縦枠２、２と屋内外方向に対向する部位であって、第一固定部材１５の屋外側位置には、押さえ柱１４の下端部１４ａを嵌入組み込みするための押さえ柱嵌入孔５ｇが形成されているが、該押さえ柱嵌入孔５ｇの屋外側面部は、下側ほど屋内側に偏寄する傾斜面５ｈとなっている一方、押さえ柱１４の下端部１４ａも、これに対応するよう屋外側面部が下側ほど屋内側に偏寄する傾斜面１４ｂとなっている。そして押さえ柱１４は、下端部１４ａを押さえ柱嵌入孔５ｇに嵌入組み込みした場合に、屋内側に向けて偏寄するよう嵌入ガイドされる。
【００１３】
床下収納箱５の左右方向中間部(本実施の形態では左右方向中央部)には、四角柱形状をした前記補強縦柱１２が立設されるための立設孔５ｊが床下収納箱５の屋内側内壁面５ｄよりも屋内側に突出するようにして形成されているが、該立設孔５ｊの開口端部は、床下収納箱５の開口端面５ａと、これよりも低い段差面５ｂと、これらを連結する縦連結面５ｋとにより段差状となっており、該段差状の開口端部には補強縦柱１２の外側面に突出形成される鍔部１２ａが縦連結面５ｋに嵌入して前記低い段差面５ｂに当接するよう嵌着するまで補強縦柱１２を立設孔５ｊに差し込むことで、補強縦柱１２は所定の高さで立設されるよう立設孔５ｊに対して組み込まれるようになっている。
因みに蓋６は、立設孔５ｊ部分が屋内側に突出した構造になっており、これによって立設孔５ｊは防水シート１１の不使用時には蓋６によって覆蓋されるようになっている。
また、床下収納箱５の底面には、該床下収納箱５に浸入した水を排出するための排出路１７が形成されている。
【００１４】
前記補強横柱１３は、四角柱形状をしており、左右縦枠２、２と補強縦柱１２とのあいだに横設されることで防水シート装置Ａを補強するものであるが、該補強横柱１３の左右方向外端には左右方向外方に向けて係合突起１３ａが突設される一方、内端には係止フック１３ｂが補強横柱１３の下面よりも下方に突出するよう設けられている。そして補強横柱１３は、図７に示すように、左右外端側が低くなる傾斜状態で係合突起１３ａを縦枠２の左右方向内側面に組付けられた孔形成部材２ｂに形成の嵌入孔２ｈに嵌入し、しかる後、係止フック１３ｂを、補強縦柱１２の左右外面に設けた横柱用のフック受け１２ｂに上側から嵌入せしめて補強横柱１３の下端面をフック受け１２ｂに当接させることにより補強横柱１３が縦枠２と補強縦柱１２とのあいだに水平懸架状に仮組み付けされるようになっている。
尚、７は、板状部材を折曲して階段状に４面を形成してなる補強部材であるが、該補強部材７は、屋内側端面７ａが縦枠２の左右方向内側面の内面に溶着等により固定され、屋外側端面７ｂが凹溝２ｄの溝底面の溝底面２ｅに同じく固定されており、これによって凹溝２ｄの変形防止がなされている。また、このように両端面７ａ、７ｂが縦枠２に固定されることで孔形成部材２ｂの孔底面２ｇが屋外側端面７ｂの隣に形成される面部７ｃに当接するようになっており、これによって孔形成部材２ｂの孔底面２ｇは面部７ｃによって補強支持されるようになっている。
また、嵌入孔２ｈの開口端２ｆは、防水シート装置Ａの不使用時には適宜の蓋体により塞いでおくことで、嵌入孔２ｂから縦枠２内への雨水やゴミ等の侵入を防止することが出来るようになっている。
【００１５】
一方、図８に示されるように、補強横柱１３の左右内端側下面には、補強縦柱１２側に向けて出没自在なロック棒１９ａが設けられたロック部材(プッシュボルト)１９が設けられており、補強横柱１３が前記仮組み付けされた状態でロック棒１９ａを補強縦柱１２側に向けて押し操作すると、該ロック棒１９ａがフック受け１２ｂおよび係止フック１３ｂの補強横柱１３の下面から下方に突出した部位に形成の第一、第二貫通孔１２ｅ、１３ｃに貫通して係止フック１３ｂのフック受け１２ｂからの抜け止めがなされた状態にロック保持され、これによって補強横柱１３が補強縦柱１２に対して抜け止めされた状態で水平状に取付けられるようになっている。
尚、ロック棒１９ａのロック解除はロック部材１９に設けた解除ボタン１９ｂを押し操作することでできるようになっているが、このロック部材１９は汎用技術を採用したものであって、その詳細については省略する。
因みに本実施の形態では、補強縦枠１２については１本、補強横柱１３については左右２本の構成としたが、これに限定されるものでなく、必要において増減できることは言うまでもない。
【００１６】
前記防水シート１１は、幅員（左右横幅）が左右縦枠２、２の左右外側面間の長さよりも幅広に形成された防水性を有するシート体で形成されたものであって、該防水シート１1の上端縁１１ｃはシート体が折り返されたものを一体化することで筒状部１１ｄとなっており、該筒状部１１ｄに左右方向に長い棒状の支持部材１８が左右方向移動自在に貫通されることで防水シート１１を左右方向展張状に支持できるようになっている。
防水シート１１の上端縁１１ｃには、防水シート装置Ａの組み立て作業者が支持部材１８を直接把持して防水シート１１を引き上げることができるよう切欠き部１１ｅ、１１ｆ、１１ｇが適宜間隔を存して複数形成されるが、本実施の形態においては、左右縦枠２側に偏寄した第一、第三の切欠き部１１ｅ、１１ｇと補強縦柱１２対応部位の第二の切欠き部１１ｆとの３箇所になっている。
尚、本実施の形態では、防水シート１1の上端左右両コーナー部にも第四の切欠き部１１ｈが形成されている。
【００１７】
支持部材１８の第二切欠き部１１ｆ対応部位には、係止プレート１８ａが屋内側に向けて突設されているが、該係止プレート１８ａは、前記補強縦柱１２の天面板１２ｃに形成の係止受け部１２ｄに係脱自在に係止されるようになっており、これによって支持部材１８の中間部を補強縦柱１２に係止できるようになっている。
尚、補強縦柱１２の天面板１２ｃは、屋外側に延設され、延出先端１２ｆが上方に向けて折曲されていて支持部材１８を下側および屋外側から受け止め支持できるようになっている。
因みに、係止プレート１８ａは、基端部が支持部材１８に移動自在に外嵌取り付けされている。
【００１８】
前記支持部材１８の左右両端部には屋内側に向けて係止部材１８ｂが延設され、該係止部材１８ｂには屋内側端が開口し、屋外側が溝奥となるよう係止溝１８ｃが形成されている。一方、左右縦枠２の左右外側面には支持プレート２０が一体的に取付けられ、該支持プレート２０には、係止受け部２０ａが左右方向外方に向けて突設されている。また、支持部材１８の前記第三切欠き部１１ｇに対応する部位にはターンバックル１８ｄが介装されているが、該ターンバックル１８ｄによって支持部材１８の長さ調整ができるようになっている。
そして支持部材１８を、左右の係止部材１８ｂ、１８ｂが左右の支持プレート２０、２０とのあいだに隙間Ｕを存して遊嵌状に外嵌する長さとなるようターンバックル１８ｄにより長さ調整をし（既にこのような長さ調整がなされている場合にはこの長さ調整は不要となる。）、しかる後、図１４（Ａ）、（Ｂ）に示すように、左右係止部材１８ｂ、１８ｂを屋内方向に移動させて係止溝１８ｃを係止受け部２０ａに外嵌する。そして係止受け部２０ａを係止溝１８ｃの溝奥部まで移動せしめることで左右係止部材１８ｂが縦枠２側とのあいだに隙間Ｕを存した遊嵌状の保持ができるようになっている。尚、係止受け部２０ａは、左右方向外端面が係止溝１８ｃの溝幅よりも大径となっており、これによって係止部材１８ｂが縦枠２の左右方向外方へ抜け出ないようになっている。
【００１９】
そしてこの状態で、図１４（Ｃ）に示すように、ターンバックル１８ｄを操作して支持部材１８を、左右係止部材１８ｂの左右内側面が躯体側である支持プレート２０に当接するよう長さ調整することで左右係止部材１８ｂを縦枠側に対して当接する位置まで移動させて係止部材１８ｂが支持プレート２０を介して縦枠２を挟持する状態で支持部材１８が取付け保持されるようになっている。
そしてこの挟持状の取付け保持状態になったら、図１４（Ｄ）に示すように、防水シート１１の左右両端部をそれぞれ左右方向外方に引張って第四切欠き部１１ｈの左右外端縁を係止部材１８ｂに当接させるか近接対向させることで防水シート１１の展張姿勢の位置決めができるようになっている。
【００２０】
一方、前記押さえ柱１４は、前述したように下端部１４ａが押さえ柱嵌入孔５ｇに嵌入組み込みされることで前記縦枠２に支持した防水シート１１の左右両端縁部を挟むようにして左右縦枠２の屋外側面に対向するよう立設されることになるが、該押さえ柱１４の屋内側面には平面視で嘴状の突条１４ｃが形成されている。そして、前記立設した状態の押さえ柱１４を、該押さえ柱１４の上端部左右方向外側面に設けた引き寄せ金具１４ｄを介して縦枠２側に引き寄せ固定することで前記突条１４ｃによる水密状の防水ができるようになっている。
【００２１】
つまり、前記縦枠２の左右方向外側面に固定の支持プレート２０には、係止受け部２０ａよりも下側に位置して受け金具２０ｂが突設されるが、図１６に示すように、前記引き寄せ金具１４ｄに設けた引掛け金具１４ｅを受け金具２０ｂに係止した状態で、アジャストレバー１４ｆを屋外側に向けて揺動操作することで、押さえ柱１４が縦枠２側に押さえ付け固定されることになり、これにより前記突条１４ｃの先端部（屋内側端部）が前記縦枠２及び床下収納箱５に形成の凹溝２ｄ、５ｅに強制的に没入することになって、該凹溝２ｄ、５ｅに埋設したシール材８を、防水シート１１の左右両端部を突条１４ｃとシール材８とのあいだで水密状に挟持する状態で該シール材８を押圧変形させることになり、これによって押さえ柱１４と縦枠２とのあいだの防水（封止）がなされるようになっている。
因みに、防水シート１１の第四切欠き部１１ｈは、下縁がアジャストレバー１４ｆの下側に位置する設定となっており、また押さえ柱１４に形成される突条１４ｃはアジャストレバー１４ｆよりも上側位置までシール材８の押圧変形をするように設定されている。
尚、本実施の形態では、押さえ柱１４を縦枠２に固定した状態ではアジャストレバー１４ｆの屋外側端部が押さえ柱１４の屋外側面よりも突出しているが、固定した状態で屋外側端部が押さえ柱１４の屋外側面よりも突出しないようアジャストレバー１４ｆ若しくは押さえ柱１４を調整して実施しても良いことは勿論であり、このようにした場合には突出部位に何かが引っかかってアジャストレバー１４ｆが不用意に外れてしまうことを回避できるという利点がある。
【００２２】
押さえ柱１４の上端部屋内側部位は、縦枠２の屋外側面に対して隙間Ｓを存するよう切欠き部１４ｇが形成されており、該隙間Ｓの下部位に前記支持部材１８の左右両端部が配された状態になっている。また隙間Ｓの上部位には、前記支持部材１８に固定の係止部材１８ｂの左右内側面から左右方向内方に向けて突設した補助部材１８ｅが、支持部材１８よりも上側に位置し、凹溝２ｄを左右方向内方に向けて超える状態で縦枠２の屋外側面に近接対向するか当接する状態で配設されている。そして防水シート１１が水圧等の負荷を受けたことにより、左右係止部材１８ｂの屋内側端が拡開する方向の負荷を受けたとき、補助部材１８ｅ、１８ｅが縦枠２、２の屋外側面に押圧し、これによって前記負荷を縦枠２、２でも受けることができるようになっている。
【００２３】
叙述の如く構成された本発明の実施の形態において、防水シート装置Ａを用いて躯体開口部１からの水の流入を防止するにあたっては、開口部１の屋外側床面Ｇに埋設される床下収納箱５の蓋６を取り外して該床下収納箱５に収納される補強縦柱１２、補強横柱１３、押さえ柱１４を取り出し、しかる後、補強縦柱１２を立設孔５ｊに嵌入組み込みして立設し、次に補強横柱１３を、左右縦枠２と補強縦柱１２とのあいだに横設する。次いで、防水シート１１の適宜の切欠き部１１ｅ〜１１ｈから露出する支持部材１８を把持して引き上げ、係止プレート１８ａを係止受け部１２ｄに係止する一方、左右の係止部材１８ｂの係止溝１８ｃを縦枠２側の支持プレート２０に設けた係止受け部２０ａに係止し、しかる後、ターンバックル１８ｄを用いて係止部材１８ｂが支持プレート２０に当接するよう支持部材１８の長さ調整をする。その後、防水シート１１の第四切欠き部１１ｈ端が係止部材１８ｂに当接するか近接対向する位置まで引張って展張姿勢の位置決めをする。しかる後、押さえ柱嵌入孔５ｇに嵌入することで立設した押さえ柱１４を、引き寄せ金具１４ｄを用いて縦枠２に引き寄せる状態で固定することで防水シート装置Ａの組み立てが終了する。
【００２４】
以上記載されたように、シール材８を躯体開口部１の左右両側部を構成する縦枠２、２に設けたことによって、躯体の開口部１を構成する縦枠２、２が、シール材８を支持する部材として利用されるのみならず、押さえ柱１４とのあいだに挟持される防水シート１１を支持し、さらに防水シートを水密状に封止する部材としても利用することができる。このように縦枠２、２を防水シート装置の構成部材の一つとして有効利用することによって部材の兼用化が図られることになり、シール材を支持し、押さえ柱とのあいだに挟持される防水シートを水密状に封止するための専用の補助支柱を従来のように別途設ける必要がない。
従って、部品点数の削減を図ることが出来る。また、開口部縦枠２の屋外側面２ａに補助支柱を設けることによって外観が損なわれてしまうこともないうえ、補助支柱が該開口部を出入りする通行人の通行の妨げになることもない。
さらに、補助支柱を設けないことによって、補助支柱設置分だけ床下収納部を躯体に近づけた状態で設置できるため、省スペース化も図ることが出来る。
【００２５】
そして、防水シート１１の縦枠２、２への保持は、支持部材１８の左右両端縁に設けられる係止部材１８ｂを縦枠２の左右方向外側面に設けた係止受け部２０ａに係止することでなされるため、係止受け部２０ａが屋外側に向けて突出してしまうことがなく、通行の妨げになることがないとともに、屋外側に突出することによって外観が損なわれるようなこともない。さらにこのものでは支持部材１８の縦枠２への係止を縦枠２の左右方向外側面で行うものでありながら、ターンバックル１８ｄによって支持部材１８の長さを調整することが出来るため、支持部材１８の縦枠左右外側面への係止作業が容易かつ確実になる。
【００２６】
また、係止部材１８ｂは、防水シート１１を展張姿勢に位置させるための位置決め部材としても機能するため、部材の兼用化を図ることが出来る。
さらにまた、押さえ柱１４の引き寄せ金具１４ｄは、縦枠左右外側面に設けられることになって、天板面に設けられたもののように外観を損ねることがないだけでなく、通行人に引っかかったりする惧れもない。
その上、張設した防水シート１１が水圧を受けることによって、支持部材１８が屋内側に撓む方向の負荷を受けることになり、これによって係止部材１８ｂの屋内側端が左右外方に拡開して係止受け部から外れようとしたときに、補助部材１８ｅが躯体側縦枠２の屋外側面２ａを屋内側に押圧することになって係止部材１８ｂの左右方向への拡開を規制することになり、この結果、係止部材１８ｂの縦枠２からの抜け止め補強ができることになってより高い防水機能を発揮できることになる。
【００２７】
また、補助部材１８ｅは係止部材１８ｂに一体的に取り付けられるため、係止部材１８ｂが補助部材１８ｅを支持部材１８に設けるための取付け部材として機能することになり、部品の兼用化を図ることが出来る。
さらにまた、補強横柱１３と縦枠２との連結は、補強横柱１３に設けた係合突起１３ａを縦枠２に形成した孔形成部材２ｂの嵌入孔２ｈに嵌合することでなされるため、縦枠２に左右方向内側に突出する受け金具を設ける必要がなくなり、縦枠の外観を損ねてしまうことがないばかりでなく、縦枠から受け金具が突出することによって通行が妨げられることもない。
【００２８】
尚、本発明は前記実施の形態に限定されるものでないことは勿論であって、開口部の間口幅が狭いような場合には補強縦柱がないものでも実施することができ、この場合、左右縦枠同士を補強横柱で連結して補強することになる。また、間口幅が広いような場合には補強縦柱を２本以上とすることもでき、この場合には隣接する補強縦柱同士を補強横柱で連結して補強することになる。
【００２９】
また、前記本実施の形態では、縦枠２の屋外側面２ａに凹溝２ｄを形成してシール材８を埋設し、押さえ柱１４に設けられた突条１４ｃによって防水シート１１の左右両端部を押圧することでシール材８を変形させて防水シート１１と縦枠２とのあいだを水密状に封止するよう構成しているが、本発明はこれに限定されるものではなく、図１９（Ａ）に示す第二の実施の形態のように、縦枠２１に突条２１ａを形成する一方、押さえ柱２２にはシール材２３が埋設される凹溝２２ａを形成して、押さえ柱２２を立設することによって縦枠２１に形成の突条２１ａが防水シート２４を挟む状態でシール材２３を押圧変形し、これによって防水シート２４と縦枠２１とのあいだを水密状に封止するものに構成しても良い。このような構成とした場合は、縦枠に凹溝を形成する必要がないため、既存のものを利用可能となる。また、シール材２３は押さえ柱２２に設けられることになるため、不使用時には床下収納箱に収納された状態となってシール材２３の劣化を防ぐことが出来る。
【００３０】
また、図１９（Ｂ）に示す第三の実施の形態のように、防水シート２５にシール材２６を接着剤や粘着剤等の適宜の固着手段を介して取り付ける一方、縦枠２７に該シール材２６が嵌入する形状の凹溝２７ａを形成し、押さえ柱２８を立設して防水シート２５のシール材２６を凹溝２７ａに向けて押圧変形せしめることで防水シート２５と縦枠２７とを水密状に封止するよう構成しても良い。このような構成とした場合、シール材２６は縦枠２７、押さえ柱２８の何れにも設ける必要がない。また、シール材２６は防水シート２５に設けられることになるため、不使用時には床下収納箱に収納された状態となってシール材２６の劣化を防ぐことが出来る。
【００３１】
また、シール材は、前記第一、第二の実施の形態では凹溝２ｄ、２２ａ内に表面が没入した状態にし、突条１４ｃ、２１ａで弾性変形させる構成としたが、これに限定されるものでなく、例えば図２０（Ａ）に示す第一の実施の形態に準じた第四の実施の形態のように、シール材３１の表面（屋外側面）を縦枠３２の凹溝３３から突出したものとし、この突出した部位を平面状の押さえ柱３４の屋内側面で押圧変形させるようにしてもよい。このように構成することで押さえ柱３４に防水シート３５を介してシール材３１を押圧変形させるための突条を別途設ける必要がなく、押さえ柱の汎用性を高くすることが出来る。
【００３２】
さらに、シール材は、第一乃至第四の実施の形態では左右各縦枠、防水シート、押さえ柱のいずれかに１つ設けて構成したが、本発明はこれに限定されるものではなく、例えば図２０（Ｂ）に示す第五の実施の形態のように、各縦枠３５の屋外側面３５ａに複数（本実施の形態では２つ）の上下方向を向く凹溝３５ａ、３５ａを左右並列状に設けて該凹溝３５ａ、３５ａにシール材３６、３６をそれぞれ埋設するとともに、押さえ柱３７の屋内側面には前記凹溝３５ａ、３５ａに対向する部位に突条３７ａ、３７ａを形成して、押さえ柱３７の立設によって突条３７ａ、３７ａが防水シート３８を介してシール材３６、３６を押圧変形させ、これによって防水シート３８と縦枠３５のあいだを複数の水密構造で封止されるように構成しても良く、この場合にはより高い水密性が確保できる。
【００３３】
要は、シール材は、開口部縦枠、押さえ柱、防水シートの何れかに少なくとも一つが設けられていれば本発明を実施することが出来るのであり、この場合、一つの縦枠と防水シートとのあいだのシール材を用いた封止構造を複数とした場合には、より水密性を高めた防水シート装置とすることが出来る。
【００３４】
またシール材は、防水シート装置を組み付ける際に凹溝に組み込んだり（無理嵌め状であることが好ましい）、防水シートに両面粘着テープを用いて貼着するものとして、該装置の不使用時にはシール材を床下収納箱に収納する構成にしても良く、この場合、シール材の屋外露出が回避されることになってシール材の劣化防止が図れることになる。
【産業上の利用可能性】
【００３５】
本発明は、開口部から建築物内への水の流入を防止するためにビルの出入り口や地下鉄の出入り口等に設けられる防水装置の技術分野に利用することができる。
【符号の説明】
【００３６】
１      開口部
２      縦枠
２ａ    縦枠屋外側面
８      シール材
１１    防水シート
１１ａ  上端縁
１４    押さえ柱
Ａ      建築用防水シート装置
【図１】
2014231720.tif 000003
【図２】
2014231720.tif 000004
【図３】
2014231720.tif 000005
【図４】
2014231720.tif 000006
【図５】
2014231720.tif 000007
【図６】
2014231720.tif 000008
【図７】
2014231720.tif 000009
【図８】
2014231720.tif 000010
【図９】
2014231720.tif 000011
【図１０】
2014231720.tif 000012
【図１１】
2014231720.tif 000013
【図１２】
2014231720.tif 000014
【図１３】
2014231720.tif 000015
【図１４】
2014231720.tif 000016
【図１５】
2014231720.tif 000017
【図１６】
2014231720.tif 000018
【図１７】
2014231720.tif 000019
【図１８】
2014231720.tif 000020
【図１９】
2014231720.tif 000021
【図２０】
2014231720.tif 000022